(57)【要約】      （修正有）【課題】ドーム型可動接片単体と同等のクリック感を保ち、またドーム型可動接片のスリットからの粘着剤はみ出しによる接触不良、クリック感不良を防止する。【解決手段】ドーム型可動接片付きシート10は、粘着層14によりＬＳドーム型可動接片１を基板19上に固定するとともにその凸面を被覆する第１の固定シート12と、ＬＳドーム型可動接片１と第１の固定シート12が重なる領域の範囲外で接着剤15により第１の固定シート12に対し固定される第２の固定シート13とを有し、第２の固定シート13は、ＬＳドーム型可動接片１の中央部４に対応する位置にＬＳドーム型可動接片１の凸方向へ突出するエンボス部16を有し、エンボス部16内には第１の固定シート12のＬＳドーム型可動接片１の中央部４に対応する位置に形成された貫通孔18を通ってＬＳドーム型可動接片１の中央部４に接する突起物17が固定されている。【選択図】図３
2015156287.tif 000002
【特許請求の範囲】
【請求項１】
ドーム部（２）にスリット（３）が形成されたロングストロークドーム型可動接片（１）を備えるドーム型可動接片付きシート（１０）において、
ドーム型可動接片付きシート（１０）は、
ロングストロークドーム型可動接片（１）の凸面を被覆し、凸面と相対する面に形成された粘着層（１４）によりロングストロークドーム型可動接片（１）を基板（１９）上に固定する第１の固定シート（１２）と、
第１の固定シート（１２）を被覆するとともに、ロングストロークドーム型可動接片（１）と第１の固定シート（１２）とが重なっている領域の範囲外で接着剤（１５）により第１の固定シート（１２）に対し固定される第２の固定シート（１３）と、
を有し、
第２の固定シート（１３）は、ロングストロークドーム型可動接片（１）の中央部（４）に対応する位置に、ロングストロークドーム型可動接片（１）の凸方向へ突出するエンボス部（１６）を有し、そのエンボス部（１６）内にはロングストロークドーム型可動接片（１）側へ突出する突起物（１７）が固定されており、
突起物（１７）は、第１の固定シート（１２）のロングストロークドーム型可動接片（１）の中央部（４）に対応する位置に形成された貫通孔（１８）を通ってロングストロークドーム型可動接片（１）の中央部（４）に当接しており、
エンボス部（１６）を押圧すると、突起物（１７）は、第１の固定シート（１２）を介さずにロングストロークドーム型可動接片（１）の中央部（４）を直接押し下げる、ことを特徴とするドーム型可動接片付きシート（１０）。
【請求項２】
エンボス部（１６）の先端部から突起物（１７）の先端部までの距離にロングストロークドーム型可動接片（１）の板厚を加えた値は、ロングストロークドーム型可動接片（１）の押し下げ時における基板（１９）から第２の固定シート（１３）の変形部頂部までの距離よりも大きい、ことを特徴とする請求項１に記載のドーム型可動接片付きシート（１０）。
【請求項３】
ロングストロークドーム型可動接片（１）のドーム部（２）は、円形ないし小判型の１枚の弾性金属薄板をドーム型に形成したものであり、
ロングストロークドーム型可動接片（１）のスリット（３）は、ドーム部（２）に形成された複数のＬ字形ないし三角形状を有し、その頂角部をドーム部（２）の中心位置に向けて環状に配置されており、
ロングストロークドーム型可動接片（１）の中央部（４）と外周部（５）とは、スリット（３）の間で中心部（４）から放射方向へ同じ幅で形成された連結部（６）によって連結されている、ことを特徴とする請求項１又は請求項２に記載のドーム型可動接片付きシート（１０）。
【発明の詳細な説明】
【技術分野】
【０００１】
本発明は、キーボード、電子辞書等の電子機器の入力操作部のスイッチ部品に使用される、ドーム型の可動接片及び固定シートを組み合わせたドーム型可動接片付きシートに関するものであり、特に、ドーム型可動接片として長押し込み量すなわちロングストロークに対応するものを用いたドーム型可動接片付きシートに係る。
【背景技術】
【０００２】
多くのスイッチ用の可動接片は、ほぼ円形ないし小判型の外形を有する薄いばね板をクリック感を持たせるためにドーム型に成形した形状を有している。これらのドーム型可動接片のうち、通常のドーム型可動接片よりも高いドーム高さを有し、ロングストロークに対応するロングストロークドーム型可動接片（Long Stroke Dome Contact、以下、「ＬＳドーム型可動切片」ともいう。）がある。
【０００３】
ＬＳドーム型可動切片のようにドーム部のドーム高さを大きくして、押し込み量を長くした場合、通常のドーム型可動接片よりも深いプレス成形をするため、（１）成形後のドーム部の半径方向及び円周方向に掛かる引張りテンションがともに増大し、その結果として、スイッチング動作時に要する押し圧力が非常に大きくなる、（２）変形時に強い負荷が掛かるため、耐久性が悪化する、（３）押し圧力最大以降の押し込み量が短いため、底突き感が強く、指に負担が掛かる、などの問題が生じることが知られている。このような問題を解決するために、ドーム部にスリットを設けたＬＳドーム型可動切片が存在する。
【０００４】
図１は、ＬＳドーム型可動切片１の例を示している。ＬＳドーム型可動切片１のドーム部２には、複数、図示の例では４つの三角形状の孔によるスリット３がその頂角部をＬＳドーム型可動切片１の中心位置に向け、かつ中心に対して等しい角度の配置で形成されており、ＬＳドーム型可動切片１の中央部４と、外周部５との間には４つの放射方向で同じ幅の連結部６が形成されている。このようにドーム部２にスリット３を設ければ、スイッチング動作時に実際に変形動作する部分は、ＬＳドーム型可動切片１の十字状の部位すなわち中央部４及び連結部６のみであるため、連結部６の部位での半径方向の引張テンションのみがスイッチング動作時に要する押し圧力となり、長押し込み量でも低い押し圧力でスイッチング動作を行うことができ、高い耐久性が得られ、押し圧力の最大荷重以降の押し込み量が長くなり、底突き感が弱く指への負担が少なくなり、さらにクリック音の低減が図られる。
【０００５】
さて、このようなＬＳドーム型可動切片１は、通常のドーム型可動接片と同様に固定シートに位置決め状態として接着され、回路基板やスイッチに組み込まれる。
【０００６】
図６及び図７は、ＬＳドーム型可動切片１と、固定シートとの組み合わせ例を示している。図６の例は、ＬＳドーム型可動切片１の凸面を固定シート３１に当て、ＬＳドーム型可動切片１を固定シート３１の粘着剤３２により固着している。このような構成のものには以下の問題がある。
【０００７】
（１）上部から指のような平らなもので押すと、押し圧力が分散し、クリック感触を著しく損ねてしまう。
（２）上部からの押し位置が中央部４から外れると良好なクリック感触が得られなくなる。（３）ＬＳドーム型可動接片１の全面を粘着剤３２で覆うため、スイッチング動作時に要する押し圧力として、ＬＳドーム型可動切片１単体を変形させる力の他に固定シート３１及び粘着剤３２を変形させる力が加わってしまう。ストロークが長いため、通常のドーム型可動接片よりも固定シート３１と粘着剤３２の影響を受けてＬＳドーム型可動切片１単体のクリック感触から外れてしまう。
（４）ＬＳドーム型可動切片１の全面に粘着剤３２があるため、スリット３から粘着剤３２がはみ出して、基板３３に付着してしまいクリック感触を損ねてしまう。
（５）スリット３からＬＳドーム型可動切片１の接点３４側に粘着剤３２が付着し、接触不良を起こしてしまう。
【０００８】
また図７の例は、特許文献１の技術と同様に、粘着剤４２付きの固定シート４１にエンボス部４４を設け、エンボス部４４の内側に突起物４５を固定するとともに、突起物４５にＬＳドーム型可動切片１の中央部４を当て、ＬＳドーム型可動切片１の凸面を固定シート４１の粘着剤４２により固定して、ＬＳドーム型可動切片１の中央部４と、固定シート４１との間に突起物４５を介在させている。このような構成のものには、以下の問題がある。
【０００９】
（１）固定シート４１から突出するエンボス部４４の高さが低いため、ＬＳドーム型可動切片１を図示しない押し子で押し込んだときに、特許文献１の図１（ｂ）のように、押し子が固定シート４１のＬＳドーム型可動切片１の外周部５を覆う部分（固定シート４１の変形部頂部）に当たってしまいクリック感触を損ねてしまう。
（２）突起物４５が固定シート４１の下面に突出していないため、ＬＳドーム型可動切片１を直接押すことができず、また、ＬＳドーム型可動切片１の中央部４と固定シート４１との間には粘着剤４２が介在しているため、ＬＳドーム型可動切片１の中央部４を押し子で押し込んだときに固定シート４１と粘着剤４２の影響を受けてしまい、良好なクリック感触が得られない。
（３）図６の例と同様に、ＬＳドーム型可動切片１の全面に粘着剤４２があるため、スリット３から粘着剤４２がはみ出して基板４３や接点４６に付着し、クリック感触を損ねてしまう。
【先行技術文献】
【特許文献】
【００１０】
【特許文献１】特開２０１２−１０９２７２号公報
【発明の概要】
【発明が解決しようとする課題】
【００１１】
本発明の解決課題は、ロングストロークに対応するＬＳドーム型可動接片を用いたドーム型可動接片付きシートにおいて、ＬＳドーム型可動接片単体とほぼ同等のクリック感触を保つこと、並びにＬＳドーム型可動接片のスリットからの粘着剤はみ出しによる接触不良及びクリック感触不良を防止することである。
【課題を解決するための手段】
【００１２】
上記課題のもとに、本発明は、ドーム部（２）にスリット（３）が形成されたロングストロークドーム型可動接片（１）を備えるドーム型可動接片付きシート（１０）を次のように構成している。すなわち、ドーム型可動接片付きシート（１０）は、ロングストロークドーム型可動接片（１）の凸面を被覆し、凸面と相対する面に形成された粘着層（１４）によりロングストロークドーム型可動接片（１）を基板（１９）上に固定する第１の固定シート（１２）と、第１の固定シート（１２）を被覆するとともに、ロングストロークドーム型可動接片（１）と第１の固定シート（１２）とが重なっている領域の範囲外で接着剤（１５）により第１の固定シート（１２）に対し固定される第２の固定シート（１３）と、を有し、第２の固定シート（１３）は、ロングストロークドーム型可動接片（１）の中央部（４）に対応する位置に、ロングストロークドーム型可動接片（１）の凸方向へ突出するエンボス部（１６）を有し、そのエンボス部（１６）内にはロングストロークドーム型可動接片（１）側へ突出する突起物（１７）が固定されており、突起物（１７）は、第１の固定シート（１２）のロングストロークドーム型可動接片（１）の中央部（４）に対応する位置に形成された貫通孔（１８）を通ってロングストロークドーム型可動接片（１）の中央部（４）に当接しており、エンボス部（１６）を押圧すると、突起物（１７）は、第１の固定シート（１２）を介さずにロングストロークドーム型可動接片（１）の中央部（４）を直接押し下げる（請求項１）。
【００１３】
また、エンボス部（１６）の先端部から突起物（１７）の先端部までの距離にロングストロークドーム型可動接片（１）の板厚を加えた値は、ロングストロークドーム型可動接片（１）の押し下げ時における基板（１９）から第２の固定シート（１３）の変形部頂部までの距離よりも大きい（請求項２）。
【００１４】
また、ロングストロークドーム型可動接片（１）のドーム部（２）は、円形ないし小判型の１枚の弾性金属薄板をドーム型に形成したものであり、ロングストロークドーム型可動接片（１）のスリット（３）は、ドーム部（２）に形成された複数のＬ字形ないし三角形状を有し、その頂角部をドーム部（２）の中心位置に向けて環状に配置されており、ロングストロークドーム型可動接片（１）の中央部（４）と外周部（５）とは、スリット（３）の間で中心部（４）から放射方向へ同じな幅で形成された連結部（６）によって連結されている（請求項３）。
【発明の効果】
【００１５】
第２の固定シート（１３）は、ロングストロークドーム型可動接片（１）と第１の固定シート（１２）とが重なっている領域の範囲外で第１の固定シート（１２）に対し粘着剤（１５）で固定されるので、すなわち、第２の固定シート（１３）と、スイッチング動作時に変形する部分（ロングストロークドーム型可動接片（１）及び第１の固定シート（１２）のうちロングストロークドーム型可動接片（１）を被覆している部分）との間には粘着剤（１５）が無いので、第２の固定シート（１３）とスイッチング動作時に変形する部分とは構造的に独立しており、したがって、ロングストロークドーム型可動接片（１）の変形時に第２の固定シート（１３）及び粘着剤（１５）の影響を受けないため、ストロークが長いロングストロークドーム型可動接片（１）を用いたドーム型可動接片付きシート（１０）であっても、ロングストロークドーム型可動接片（１）単体とほぼ同等のクリック感触を保つことができる。（請求項１）。
【００１６】
第１の固定シート（１２）には、ロングストロークドーム型可動接片（１）の中央部（４）に対応する位置に貫通孔（１８）が形成されているから、すなわち、ロングストロークドーム型可動接片（１）の中央部（４）付近に接着層（１４）が無いから、ロングストロークドーム型可動接片（１）のスリット（３）から中央接点（２３）側への粘着剤のはみ出しを防ぐことができる。これにより、中央部（４）と基板（１９）の付着を防ぐことができ、良好なクリック感触を保つことができる（請求項１）。
【００１７】
突起物（１７）がロングストロークドーム型可動接片（１）の中央部（４）に位置しているため、押し子の押し位置にずれが発生しても、突起物（１７）は常にロングストロークドーム型可動接片（１）の中心を押すことができる。そのため、押し子のずれに影響されることなく良好なクリック感触を得ることができる（請求項１）。
【００１８】
突起物（１７）が第２の固定シート（１３）からロングストロークドーム型可動接片（１）の側へ突出しており、かつ、突起物（１７）は、第１の固定シート（１２）に形成された貫通孔（１８）を通ってロングストロークドーム型可動接片（１）の中央部（４）に当接しているから、スイッチング動作時に突起物（１７）が直接ロングストロークドーム型可動接片（１）を押すことができるため、ロングストロークドーム型可動接片（１）単体とほぼ同等のクリック感触を保つことができる（請求項１）。
【００１９】
エンボス部（１６）の先端部から突起物（１７）の先端部までの距離を十分な高さとすることにより、押し子が突起物（１７）を押し込んだときに、押し子と第２の固定シート（１３）とは、エンボス部（１６）以外の箇所では接触せず、押し子がエンボス部（１６）すなわち突起物（１７）のみを押すことになるため、良好なクリック感触を得ることができる。（請求項２）。
【００２０】
ロングストロークドーム型可動接片（１）の中央部（４）とドーム部（２）の外周部（５）とは、スリット（３）の間で中心部（４）から放射方向へ同じ幅で形成された連結部（６）によって連結されているから、長押し込み量でも低い押し圧力で、高い耐久性が得られ、押し圧力の最大荷重以降の押し込み量が長くなり、底突き感が弱く、指への負担が少なくなり、さらにクリック音の低減が図られる（請求項３）
【図面の簡単な説明】
【００２１】
【図１】ロングストロークドーム型可動接片の平面図である。
【図２】本発明に係るドーム型可動接片付きシートの平面図である。
【図３】図２におけるＡ−Ａ断面図である。
【図４】本発明に係るドーム型可動接片付きシートの動作前（通電前）の説明図（切断部端面図）である。
【図５】本発明に係るドーム型可動接片付きシートの動作時（通電時）の説明図（切断部端面図）である。
【図６】従来のドーム型可動接片付きシートの説明図（切断部端面図）である。
【図７】従来のドーム型可動接片付きシートの説明図（切断部端面図）である。
【発明を実施するための形態】
【００２２】
図１は、既に説明したとおり、本発明に用いられるロングストロークドーム型可動接片１を示している。ＬＳドーム型可動接片１のドーム部２は、弾性金属薄板を直径３〜６ｍｍの程度の円形に打ち抜くとともにドーム型にプレス加工したものである。弾性金属薄板は、厚み０．０４〜０．１ｍｍ程度の圧延鋼板や、銀またはニッケルメッキのステンレス等が用いられる。ドーム部２には、三角形状のスリット３が複数形成されており、スリット３は、その頂角部をドーム部２の中心位置に向けて環状に配置されている。ＬＳドーム型可動接片１の中央部４と外周部５とは、スリット３の間で中心部４から放射方向へほぼ同じ幅で形成された連結部６によって連結されている。
【００２３】
なお、ＬＳドーム型可動接片１の外形は、円形のほか、小判型であってもよい。また、スリット３の形状をＬ字形とし、Ｌ字形の屈曲部の頂角部をドーム部２の中心位置に向けて環状に配置してもよい。
【００２４】
図２及び図３は、本発明に係るドーム型可動接片付きシート１０を示している。ドーム型可動接片付きシート１０は、主要な構成として、前述のＬＳドーム型可動接片１と、ＬＳドーム型可動接片１の凸面を被覆する第１の固定シート１２と、第１の固定シート１２をＬＳドーム型可動接片１ごと被覆する第２の固定シート１３とを有している。
【００２５】
第１の固定シート１２は、例えば数１０μｍ程度の薄いＰＥＴフィルムにより構成されおり、ＬＳドーム型可動接片１と相対する面に、ＬＳドーム型可動接片１の凸面に接着する粘着層１４を有している。また、第１の固定シート１２には、ＬＳドーム型可動接片１の中央部４に対応する位置に貫通孔１８が形成されている。このため、ＬＳドーム型可動接片１の中央部４と、第１の固定シート１２の粘着層１４とは接着していない。なお、必要に応じて、ＬＳドーム型可動接片１と相対する部分は、ＬＳドーム型可動接片１のドーム形状と同じ凸面形状に形成される。
【００２６】
第２の固定シート１３は、例えば数１０μｍ程度の薄いＰＥＴフィルムにより構成されおり、図２に示すとおり、第１の固定シート１２をＬＳドーム型可動接片１ごと被覆する円形のスイッチ部２０、スイッチ部２０を基板に固定する外枠部２１及びスイッチ部２０と外枠部２１とを繋ぐ接続部２２とからなる。第２の固定シート１３は、ＬＳドーム型可動接片１と、第１の固定シート１２とが重なっている領域の範囲外、すなわち、外枠部２１及び接続部２２において接着剤１５により第１の固定シート１２に対し固定される。なお、外枠部２１には、第１の固定シート１２又は基板１９に対する位置決め用の位置決め孔３５が形成されている。また、必要に応じて、スイッチ部２０は、ＬＳドーム型可動接片１のドーム形状と同じ凸面形状に形成される。
【００２７】
さらに、第２の固定シート１３は、ＬＳドーム型可動接片１の中央部４に対応する位置に、ＬＳドーム型可動接片１の凸方向へ突出するエンボス部１６を有し、そのエンボス部１６内には、第２の固定シート１３のＬＳドーム型可動接片１と相対する面からＬＳドーム型可動接片１側へ突出する突起物１７が粘着剤３６により固定されている。突起物１７は、第１の固定シート１２の貫通孔１８を通ってＬＳドーム型可動接片１の中央部４に当接している。
【００２８】
そして、図３に示すように、基板１９の上面に置かれたドーム型可動接片付きシート１０は、ＬＳドーム型可動接片１の外周部５で基板１９の外周接点２４に常に接触し、中央部４の凹面で基板１９の中央接点２３に対向している。
【００２９】
図４及び図５に示すとおり、操作者が押し子１１を押して、ＬＳドーム型可動接片１の中央部４の凹面を突起物１７を介して中央接点２３の方向へ変位させると、ＬＳドーム型可動接片１は、変位の途中で、図５のように、クリックアクション機能のもとに急激に反転し、中央部４で接点２３に接触し、中央接点２３と外周接点２４とを電気的に導通状態とする。この状態で、押し子１１に対する外力（押し圧力）が無くなると、ＬＳドーム型可動接片１は、図４のもとの状態に復帰するため、中央接点２３と外周接点２４とは離れて電気的に不導通の状態となる。
【００３０】
図５に示すとおり、エンボス部１６の先端部から突起物１７の先端部までの距離にＬＳドーム型可動接片１の板厚を加えた値（ｈ１）は、ＬＳドーム型可動接片１の押し下げ時における基板１９（接点２４）から第２の固定シート１３の変形部頂部までの距離（ｈ２）よりも大きく設定されている。このため、押し子１１が突起物１７を押し込んだときに押し子１１と第２の固定シート１３とは、エンボス部１６以外の箇所では接触せず、押し子１１がエンボス部１６すなわち突起物１７のみを押すことになるため、良好なクリック感触を得ることができる。
【００３１】
また、第２の固定シート１３は、ＬＳドーム型可動接片１と第１の固定シート１２とが重なっている領域の範囲外で第１の固定シート１２に対し粘着剤１５で固定されるので、すなわち、第２の固定シート１３と、スイッチング動作時に変形する部分（ＬＳドーム型可動接片１及び第１の固定シート１２のうちＬＳドーム型可動接片１を被覆している部分）との間には粘着剤１５が無いので、第２の固定シート１３とスイッチング動作時に変形する部分とは構造的に独立しており、したがって、ＬＳドーム型可動接片１の変形時に第２の固定シート１３及び粘着剤１５の影響を受けないため、ストロークが長いＬＳドーム型可動接片１を用いたドーム型可動接片付きシート１０であっても、ＬＳドーム型可動接片１単体とほぼ同等のクリック感触を保つことができる。
【００３２】
さらに、第１の固定シート１２には、ＬＳドーム型可動接片１の中央部４に対応する位置に貫通孔１８が形成されており、ＬＳドーム型可動接片１の中央部４付近には接着層１４が無いから、ＬＳドーム型可動接片１のスリット３から中央接点２３側への粘着剤のはみ出しを防ぐことができる。また、中央部４と基板１９の付着を防ぐことができ、良好なクリック感触を保つことができる。
【００３３】
また、突起物１７がＬＳドーム型可動接片１の中央部４に位置しているため、押し子１１の押し位置にずれが発生しても、突起物１７は常にＬＳドーム型可動接片１の中心を押すことができる。そのため、押し子１１のずれに影響されることなく良好なクリック感触を得ることができる。
【００３４】
また、突起物１７が第２の固定シート１３からＬＳドーム型可動接片１の側へ突出しており、かつ、突起物１７は、第１の固定シート１２に形成された貫通孔１８を通ってＬＳドーム型可動接片１の中央部４に当接しているから、スイッチング動作時に突起物１７が直接ＬＳドーム型可動接片１を押すことができるため、ＬＳドーム型可動接片１単体とほぼ同等のクリック感触を保つことができる。
【産業上の利用可能性】
【００３５】
本発明に係るドーム型可動接片付きシート１は、各種機器のプッシュスイッチの部品として用いられる。
【符号の説明】
【００３６】
１  ロングストロークドーム型可動接片
２  ドーム部
３  スリット
４  中央部
５  外周部
６  連結部
１０  ドーム型可動接片付きシート
１１  押し子
１２  第１の固定シート
１３  第２の固定シート
１４  粘着層
１５  粘着剤
１６  エンボス部
１７  突起物
１８  貫通孔
１９  基板
２０  スイッチ部
２１  外枠部
２２  接続部
２３  中央接点
２４  外周接点
３１  固定シート
３２  粘着剤
３３  基板
３４  接点
３５  位置決め孔
３６  粘着剤
４１  固定シート
４２  粘着剤
４３  基板
４４  エンボス部
４５  突起物
４６  接点
【図１】
2015156287.tif 000003
【図２】
2015156287.tif 000004
【図３】
2015156287.tif 000005
【図４】
2015156287.tif 000006
【図５】
2015156287.tif 000007
【図６】
2015156287.tif 000008
【図７】
2015156287.tif 000009